(57)【要約】【課題】ニュースに関心のあるユーザをニュースが投稿された現場に誘導させる方法及びシステムを提供すること。【解決手段】ニュース現場誘導サーバ１は、送信記事決定部１０４を有する。送信記事決定部１０４は、閲覧端末３の位置情報を受信すると、受信した位置情報に応じた地域のニュース記事を抽出し、閲覧端末３に送信するニュース記事として決定する。また、抽出したニュース記事の投稿された位置を示す位置情報が閲覧端末３の位置情報から所定の範囲内である場合には、当該ニュース記事に対してユーザが地図にアクセスするためのリンクを付与する。閲覧端末３は、閲覧端末３の位置情報に応じたニュース記事を含んだニュース記事を受信する記事受信部３０３と、閲覧端末３の位置情報に応じた地図であって、ニュース現場の位置情報を含む地図を受信する地図受信部３０５と、を有する。【選択図】図３
2010102616.tif 000002
【特許請求の範囲】
【請求項１】
ニュース記事の閲覧者をニュース現場に誘導させるニュース現場誘導方法であって、
モバイル端末からの位置情報を受信することで、当該モバイル端末の位置を特定するステップと、
投稿者のモバイル端末の位置が特定されると、該投稿者のモバイル端末によるニュース記事の投稿を許可するステップと、
前記投稿者のモバイル端末により前記ニュース記事が投稿されると、前記投稿者のモバイル端末の位置情報に関連付けて前記ニュース記事を記憶するステップと、
前記閲覧者のモバイル端末にニュース記事を送信するステップと、
送信された前記ニュース記事を受信して表示するステップと、
受信した前記ニュース記事について、前記閲覧者のモバイル端末の位置情報に応じたニュース記事が含まれている場合には、該ニュース記事が投稿された位置を示す地図を表示して前記閲覧者をニュース現場に誘導するステップと、
を備えたニュース現場誘導方法。
【請求項２】
前記ニュース記事を記憶するステップは、
前記投稿者のモバイル端末により前記ニュース記事が投稿されると、投稿された日時に関連付けて前記ニュース記事を記憶することを特徴とする請求項１に記載のニュース現場誘導方法。
【請求項３】
前記閲覧者をニュース現場に誘導するステップは、
受信した前記ニュース記事について、前記閲覧者のモバイル端末の位置情報に応じたニュース記事が含まれている場合には、該ニュース記事が投稿された位置を示し、かつ、前記投稿された日時からの経過時間に応じて態様が変化するマーカーを表示した地図を表示して前記閲覧者をニュース現場に誘導することを特徴とする請求項２に記載のニュース現場誘導方法。
【請求項４】
前記ニュース記事にユーザがアクセスした回数を記憶するステップを更に備え、
前記閲覧者をニュース現場に誘導するステップは、
受信した前記ニュース記事について、前記閲覧者のモバイル端末の位置情報に応じたニュース記事が含まれている場合には、該ニュース記事が投稿された位置を示し、かつ、該ニュース記事にユーザがアクセスした回数に応じて態様が変化するマーカーを表示した地図を表示して前記閲覧者をニュース現場に誘導することを特徴とする請求項１から３のいずれかに記載のニュース現場誘導方法。
【請求項５】
前記モバイル端末の位置を特定するステップにおける位置情報とは、ＧＰＳ（Ｇｌｏｂａｌ  Ｐｏｓｉｔｉｏｎｉｎｇ  Ｓｙｓｔｅｍ）衛星を利用した３次元測位により取得した位置情報であることを特徴とする請求項１から４のいずれかに記載のニュース現場誘導方法。
【請求項６】
投稿者のモバイル端末及び閲覧者のモバイル端末と通信可能に接続され、ニュース現場に対してニュース記事の閲覧者を誘導させるニュース現場誘導装置を含むニュース現場誘導システムであって、
前記投稿者のモバイル端末及び前記閲覧者のモバイル端末は、
自身の位置情報を特定する位置情報特定手段を有し、
前記投稿者のモバイル端末は、
前記ニュース記事の投稿を受け付ける記事投稿受付手段を更に備え、
前記ニュース現場誘導装置は、
前記投稿者のモバイル端末の位置情報が特定されると、該投稿者のモバイル端末による前記ニュース記事の投稿を許可する投稿許可手段と、
前記投稿者のモバイル端末により前記ニュース記事が投稿されると、前記投稿者のモバイル端末の位置情報に関連付けて前記ニュース記事を記憶する記事記憶手段と、
前記閲覧者のモバイル端末に前記ニュース記事を送信する記事送信手段と、
を備え、
前記閲覧者のモバイル端末は、
送信された前記ニュース記事を受信して表示する記事受信手段と、
受信した前記ニュース記事について、特定された前記閲覧者のモバイル端末の位置情報に応じたニュース記事が含まれている場合には、該ニュース記事が投稿された位置を示す地図を表示して前記閲覧者をニュース現場に誘導する地図受信手段と、
を更に備えることを特徴とするニュース現場誘導システム。
【発明の詳細な説明】
【技術分野】
【０００１】
本発明は、ニュース現場誘導方法及びシステムに関する。特に、ニュース現場に対してユーザを誘導させるニュース現場誘導方法及びシステムに関する。
【背景技術】
【０００２】
従来、地域に関する情報を検索して提供する情報検索システムが知られている（例えば、特許文献１）。この情報検索システムでは、装置の位置及び装置が位置している地域に関する情報を収集するデータ収集モジュール、プロセッサ、及び印刷ユニットが備えられている。そして、プロセッサがデータ収集モジュールと通信を行い、収集したデータを処理して、装置の位置している地域の地図とその地域に関する情報とからなる印刷に適した書式付きデータを生成する。そして、印刷ユニットが、この書式付きデータを印刷して地域に関する情報を提供することが示されている。
【特許文献１】特表２００５−５１８５２６号公報
【発明の開示】
【発明が解決しようとする課題】
【０００３】
しかしながら、この情報検索システムでは、地域に関する情報を印刷して地域に関する情報を提供することが示されているに過ぎず、ニュース等の情報を投稿し、投稿された情報に関心のあるユーザを、ニュースが投稿された現場に誘導させる方法及びシステムについては示されていない。したがって、この情報検索システムでは、投稿されたニュースに関心のあるユーザに対して、ニュースが投稿された実際の現場に誘導させることができない。
【０００４】
本発明は、ニュースに関心のあるユーザをニュースが投稿された現場に誘導する方法を提供することを目的とする。
【課題を解決するための手段】
【０００５】
本発明では、以下のような解決手段を提供する。
【０００６】
（１）  ニュース記事の閲覧者をニュース現場に誘導させるニュース現場誘導方法であって、
モバイル端末からの位置情報を受信することで、当該モバイル端末の位置を特定するステップと、
投稿者のモバイル端末の位置が特定されると、該投稿者のモバイル端末によるニュース記事の投稿を許可するステップと、
前記投稿者のモバイル端末により前記ニュース記事が投稿されると、前記投稿者のモバイル端末の位置情報に関連付けて前記ニュース記事を記憶するステップと、
前記閲覧者のモバイル端末にニュース記事を送信するステップと、
送信された前記ニュース記事を受信して表示するステップと、
受信した前記ニュース記事について、前記閲覧者のモバイル端末の位置情報に応じたニュース記事が含まれている場合には、該ニュース記事が投稿された位置を示す地図を表示して前記閲覧者をニュース現場に誘導するステップと、
を備えたニュース現場誘導方法。
【０００７】
（１）記載のニュース現場誘導方法によれば、モバイル端末の位置が特定されると、該投稿者のモバイル端末によるニュース記事の投稿を許可し、投稿者のモバイル端末によりニュース記事が投稿されると、投稿者のモバイル端末の位置情報に関連付けてニュース記事を記憶する。そして、閲覧者のモバイル端末にニュース記事が受信され、受信されたニュース記事について、閲覧者のモバイル端末の位置情報に応じたニュース記事が含まれている場合には、該ニュース記事が投稿された位置を示す地図を表示して閲覧者をニュース現場に誘導する。
【０００８】
（１）記載の方法によれば、閲覧者のモバイル端末の位置情報に応じたニュース記事が含まれている場合には、ニュース記事が投稿された位置を示す地図が表示されるので、閲覧者は、ニュース記事が投稿された位置、すなわち、ニュースが投稿された現場を確認することができる。このため、ニュースに関心のある閲覧者、すなわちユーザをニュースが投稿された現場に誘導させることができる。
【０００９】
（２）  前記ニュース記事を記憶するステップは、
前記投稿者のモバイル端末により前記ニュース記事が投稿されると、投稿された日時に関連付けて前記ニュース記事を記憶することを特徴とする（１）に記載のニュース現場誘導方法。
【００１０】
（２）記載のニュース現場誘導方法によれば、投稿者のモバイル端末によりニュース記事が投稿されると、投稿された日時に関連付けてニュース記事を記憶する。このため、記憶されたニュース記事において、当該ニュース記事の投稿日時を確認できる。
【００１１】
（３）  前記閲覧者をニュース現場に誘導するステップは、
受信した前記ニュース記事について、前記閲覧者のモバイル端末の位置情報に応じたニュース記事が含まれている場合には、該ニュース記事が投稿された位置を示し、かつ、前記投稿された日時からの経過時間に応じて態様が変化するマーカーを表示した地図を表示して前記閲覧者をニュース現場に誘導することを特徴とする（２）に記載のニュース現場誘導方法。
【００１２】
（３）記載のニュース現場誘導方法によれば、閲覧者のモバイル端末の位置情報に応じたニュース記事が含まれている場合には、該ニュース記事が投稿された位置を示し、かつ、投稿された日時からの経過時間に応じて態様が変化するマーカーを表示した地図を表示する。このため、地図上において、新しいニュース記事のマーカーが目立つように表示することが可能となり、新しいニュース記事に対してユーザに関心を持たせて、当該ニュース記事が発生した現場にユーザを誘導させることができる。
【００１３】
（４）  前記ニュース記事にユーザがアクセスした回数を記憶するステップを更に備え、
前記閲覧者をニュース現場に誘導するステップは、
受信した前記ニュース記事について、前記閲覧者のモバイル端末の位置情報に応じたニュース記事が含まれている場合には、該ニュース記事が投稿された位置を示し、かつ、該ニュース記事にユーザがアクセスした回数に応じて態様が変化するマーカーを表示した地図を表示して前記閲覧者をニュース現場に誘導することを特徴とする（１）から（３）のいずれかに記載のニュース現場誘導方法。
【００１４】
（４）記載のニュース現場誘導方法によれば、閲覧者のモバイル端末の位置情報に応じたニュース記事が含まれている場合には、該ニュース記事が投稿された位置を示し、かつ、ユーザが該ニュース記事にアクセスした回数に応じて態様が変化するマーカーを表示した地図を表示する。このため、地図上において、アクセス数が高いニュース記事が目立つように表示することが可能となり、他ユーザの関心が相対的に高いニュース記事が発生した現場にユーザを誘導させることができる。
【００１５】
（５）  前記モバイル端末の位置を特定するステップにおける位置情報とは、ＧＰＳ（Ｇｌｏｂａｌ  Ｐｏｓｉｔｉｏｎｉｎｇ  Ｓｙｓｔｅｍ）衛星を利用した３次元測位により取得した位置情報であることを特徴とする（１）から（４）のいずれかに記載のニュース現場誘導方法。
【００１６】
（５）記載のニュース現場誘導方法によれば、ＧＰＳ衛星を利用した３次元測位により、モバイル端末の位置情報を取得することができる。
【００１７】
（６）  投稿者のモバイル端末及び閲覧者のモバイル端末と通信可能に接続され、ニュース現場に対してニュース記事の閲覧者を誘導させるニュース現場誘導装置を含むニュース現場誘導システムであって、
前記投稿者のモバイル端末及び前記閲覧者のモバイル端末は、
自身の位置情報を特定する位置情報特定手段を有し、
前記投稿者のモバイル端末は、
前記ニュース記事の投稿を受け付ける記事投稿受付手段を更に備え、
前記ニュース現場誘導装置は、
前記投稿者のモバイル端末の位置情報が特定されると、該投稿者のモバイル端末による前記ニュース記事の投稿を許可する投稿許可手段と、
前記投稿者のモバイル端末により前記ニュース記事が投稿されると、前記投稿者のモバイル端末の位置情報に関連付けて前記ニュース記事を記憶する記事記憶手段と、
前記閲覧者のモバイル端末に前記ニュース記事を送信する記事送信手段と、
を備え、
前記閲覧者のモバイル端末は、
送信された前記ニュース記事を受信して表示する記事受信手段と、
受信した前記ニュース記事について、特定された前記閲覧者のモバイル端末の位置情報に応じたニュース記事が含まれている場合には、該ニュース記事が投稿された位置を示す地図を表示して前記閲覧者をニュース現場に誘導する地図受信手段と、
を更に備えることを特徴とするニュース現場誘導システム。
【００１８】
このような構成によれば、当該システムを構築することにより、（１）と同様の効果が期待できる。
【発明の効果】
【００１９】
本発明によれば、ニュースに関心のあるユーザをニュースが投稿された現場に誘導させることができる。
【発明を実施するための最良の形態】
【００２０】
以下、本発明の実施形態について図を参照しながら説明する。なお、本実施形態では、ユーザは、所定のサイトよりサービスの提供を受けることを目的として、所定のサイトに対してユーザ登録を行っているものとする。ユーザ登録を行ったユーザには、ユーザを一意に特定するためのものであるユーザＩＤが付与される。また、ユーザは、所定のサイトにログインすることによりサービスを受けることができる。本発明の実施形態では、ユーザが所定のサイトにログインしているものとする。また、所定のサイトが提供するサービスには、地域ニュース投稿サービス及び地域ニュース閲覧サービスが含まれているものとする。なお、本実施形態では、所定のサイトがサービスの提供を行うこととしたが、これに限らない。例えば、地域ニュース投稿サービス及び地域ニュース閲覧サービスを含むＡＳＰ（Ａｐｐｌｉｃａｔｉｏｎ  Ｓｅｒｖｉｃｅ  Ｐｒｏｖｉｄｅｒ）サービスでもよい。
【００２１】
［システム全体構成］
図１は、本実施形態に係るニュース現場誘導サーバ１と関連要素との全体構成を示す図である。投稿者のモバイル端末である投稿端末２と、閲覧者のモバイル端末である閲覧端末３は、基地局４を介して通信ネットワーク５と接続される。これにより、投稿端末２及び閲覧端末３は、通信ネットワーク５によりニュース現場誘導サーバ１と通信可能となる。
【００２２】
投稿端末２でニュース記事を投稿する場合には、投稿端末２の位置情報が特定されることにより、投稿端末２によるニュース記事の投稿が許可される。そして、ニュース記事が投稿されると、ニュース記事に対して投稿端末２の位置情報が関連付けられてニュース現場誘導サーバ１に記憶される。他方、閲覧端末３でニュース記事の閲覧を行う場合には、最初に閲覧端末３の位置情報に応じた地域のニュース記事の一覧が表示される。そして、表示されるニュース記事のうち、閲覧端末３の位置から所定の範囲内で投稿されたニュース記事については、ニュースが投稿された位置に関する位置情報が抽出されて、この位置情報を含んだ地図が閲覧端末３から閲覧可能となる。そうすることにより、閲覧端末３のユーザはニュース記事が投稿された位置、すなわち、ニュースの現場に向かうことができる。
【００２３】
［ハードウェア構成］
図２は、本実施形態に係るニュース現場誘導サーバ１のハードウェア構成を示す図である。本発明が実施されるニュース現場誘導サーバ１は標準的なものでよく、以下に構成の一例を示す。
【００２４】
ニュース現場誘導サーバ１は、制御部１０を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２等複数のＣＰＵが追加されてもよい）、バスライン１００５、通信Ｉ／Ｆ（Ｉ／Ｆ：インターフェイス）１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、表示装置１０２２、Ｉ／Ｏコントローラ１０７０、キーボード及びマウス等の入力装置１１００、ハードディスク１０７４、光ディスクドライブ１０７６、並びに半導体メモリ１０７８を備える。なお、ハードディスク１０７４、光ディスクドライブ１０７６、及び半導体メモリ１０７８はまとめて記憶部１１と呼ぶ。
【００２５】
制御部１０は、ニュース現場誘導サーバ１を統括的に制御する部分であり、ハードディスク１０７４に記憶された各種プログラムを適宜読み出して実行することにより、上述したハードウェアと協働し、本発明に係る各種機能を実現している。
【００２６】
通信Ｉ／Ｆ１０４０は、ニュース現場誘導サーバ１が、通信ネットワークを介して端末等と情報を送受信する場合のネットワーク・アダプタである。通信Ｉ／Ｆ１０４０は、モデム、ケーブル・モデム及びイーサネット（登録商標）・アダプタを含んでよい。
【００２７】
ＢＩＯＳ１０６０は、ニュース現場誘導サーバ１の起動時にＣＰＵ１０１０が実行するブートプログラムや、ニュース現場誘導サーバ１のハードウェアに依存するプログラム等を記録する。
【００２８】
表示装置１０２２は、ブラウン管表示装置（ＣＲＴ）、液晶表示装置（ＬＣＤ）等のディスプレイ装置を含む。
【００２９】
Ｉ／Ｏコントローラ１０７０には、ハードディスク１０７４、光ディスクドライブ１０７６、及び半導体メモリ１０７８等の記憶装置である記憶部１１を接続することができる。
【００３０】
入力装置１１００は、ニュース現場誘導サーバ１の管理者による入力の受け付けを行うものである。
【００３１】
ハードディスク１０７４は、本ハードウェアをニュース現場誘導サーバ１として機能させるための各種プログラム、本発明の機能を実行するプログラム及びＤＢのテーブル及びレコードを記憶する。なお、ニュース現場誘導サーバ１は、外部に別途設けたハードディスク（図示せず）を外部記憶装置として利用することもできる。
【００３２】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラム又はデータを読み取り、Ｉ／Ｏコントローラ１０７０を介してメインメモリ１０５０又はハードディスク１０７４に提供することもできる。
【００３３】
なお、本発明でいうコンピュータとは、制御装置、記憶装置等を備えた情報処理装置をいい、ニュース現場誘導サーバ１は、上述のように、制御部１０、記憶部１１等を備えた情報処理装置により構成され、この情報処理装置は、本発明のコンピュータの概念に含まれる。
【００３４】
また、本実施形態に係る投稿端末２及び閲覧端末３のハードウェア構成は、図示は省略するが、いわゆるＧＰＳ受信機能を備え、無線通信部、音声処理部、マイク、スピーカ、電源部といった携帯端末が備えている一般的な構成を有しているものとする。
【００３５】
［機能構成］
図３は、本実施形態に係るニュース現場誘導サーバ１、投稿端末２、及び閲覧端末３の機能構成を示す図である。
【００３６】
ニュース現場誘導サーバ１の制御部１０は、位置情報受信部１０１と、記事投稿許可部１０２と、記事受信部１０３と、送信記事決定部１０４と、記事送信部１０５と、地図要求受付部１０６と、地図送信部１０７と、を備える。また、ニュース現場誘導サーバ１の記憶部１１は、記事ＤＢ１１１と、地図ＤＢ１１２と、を備える。
【００３７】
投稿端末２は、制御部２０と、表示部２１と、操作部２２と、を備える。また、投稿端末２の制御部２０は、位置情報取得部２０１と、位置情報送信部２０２と、記事投稿受付部２０３と、記事送信部２０４と、を備える。
【００３８】
閲覧端末３は、制御部３０と、表示部３１と、操作部３２と、を備える。また、閲覧端末３の制御部３０は、位置情報取得部３０１と、位置情報送信部３０２と、記事受信部３０３と、地図要求部３０４と、地図受信部３０５と、を備える。
【００３９】
なお、本実施形態では、投稿端末２及び閲覧端末３は、それぞれニュース記事投稿用の機能及びニュース記事閲覧用の機能のみ備えることとしているが、これに限らない。例えば、投稿端末２に対して、閲覧端末３に備えられたニュース記事閲覧用の機能である記事受信部３０３と、地図要求部３０４と、地図受信部３０５と、を設けてもよい。また、閲覧端末３に対して、投稿端末２に備えられたニュース記事投稿用の機能である記事投稿受付部２０３及び記事送信部２０４を設けてもよい。
【００４０】
位置情報取得部２０１は、ユーザよりニュース記事の投稿要求が受け付けられると、ＧＰＳ（Ｇｌｏｂａｌ  Ｐｏｓｉｔｉｏｎｉｎｇ  Ｓｙｓｔｅｍ）衛星を利用した３次元測位を利用して投稿端末２の位置情報を取得する。具体的には、複数のＧＰＳ衛星から時刻情報及びそれぞれの衛星の位置情報を受信して、それぞれの衛星と、投稿端末２との距離を算出する。そして、それぞれのＧＰＳ衛星との距離を満たす地点、すなわち、投稿端末２の位置を算出することにより、投稿端末２が位置する緯度・経度、すなわち、位置情報を取得する。
【００４１】
位置情報送信部２０２は、位置情報取得部２０１により取得した投稿端末２の位置情報をニュース現場誘導サーバ１に送信する。
【００４２】
記事投稿受付部２０３は、ニュース現場誘導サーバ１の記事投稿許可部１０２より記事投稿の許可信号を受信すると、投稿端末２におけるニュース記事の入力を受け付ける。ニュース記事には、記事の内容の他、記事種別、画像といった記事に関連する情報も含まれる（後述の図７参照）。
【００４３】
記事送信部２０４は、投稿端末２において入力されたニュース記事の内容をニュース現場誘導サーバ１に送信するとともに、位置情報取得部２０１により取得した位置情報も併せて送信する。
【００４４】
表示部２１は、投稿端末２の機能に関する表示を行う他に、通信ネットワーク５により通信可能となる各種サーバから提供されたコンテンツ情報を表示する。例えば、ニュース現場誘導サーバ１に投稿するためのニュース記事入力受付画面等が表示される。
【００４５】
操作部２２は、ユーザが投稿端末２の操作を行うために設けられ、例えば、ボタン等を指す。
【００４６】
位置情報取得部３０１は、投稿端末２の位置情報取得部２０１と同等の機能を有するものであり、ユーザよりニュース記事の閲覧要求が受け付けられると、ＧＰＳ衛星を利用した３次元測位を利用して閲覧端末３の位置情報を取得する。
【００４７】
位置情報送信部３０２は、投稿端末２の位置情報送信部２０２と同等の機能を有するものであり、位置情報取得部３０１により取得した閲覧端末３の位置情報をニュース現場誘導サーバ１に送信する。
【００４８】
記事受信部３０３は、ニュース現場誘導サーバ１より、閲覧端末３の位置情報に応じたニュース記事を含んだニュース記事を受信する。そして、受信したニュース記事は表示部３１に表示される。また、閲覧端末３の位置から所定の範囲内で投稿されたニュース記事は、当該ニュース記事に対してニュースが投稿された位置、すなわち、ニュース記事の位置情報を含む地図へのリンクが設けられている。これにより、ユーザがニュース記事の位置情報を含む地図にアクセスしてニュース記事の投稿された位置、すなわち、ニュースが発生した現場を確認することで、ユーザをニュースが発生した現場に誘導させることができる。
【００４９】
地図要求部３０４は、ユーザが操作部３２を介して記事受信部３０３により受信したニュース記事に付加された地図のリンクにアクセスすると、ニュース現場誘導サーバ１に対して、地図の要求信号を送信する。
【００５０】
地図受信部３０５は、ニュース現場誘導サーバ１より、ニュース記事が投稿された位置を示した地図を受信する。
【００５１】
表示部３１は、閲覧端末３の機能に関する表示を行う他に、通信ネットワーク５により通信可能となる各種サーバから提供されたコンテンツ情報を表示する。例えば、ニュース現場誘導サーバ１より受信したニュース記事や、ニュース記事が投稿された位置を示した地図が表示される。
【００５２】
操作部３２は、ユーザが閲覧端末３の操作を行うために設けられ、例えば、ボタン等を指す。
【００５３】
位置情報受信部１０１は、投稿端末２及び閲覧端末３より送信されたそれぞれの端末の位置情報を受信する。
【００５４】
記事投稿許可部１０２は、位置情報受信部１０１が投稿端末２より送信された位置情報を受信することで、投稿端末２によるニュース記事の投稿を許可するために記事投稿の許可信号を投稿端末２に送信する。なお、本実施形態において、投稿端末２より送信された位置情報を受信することで投稿端末２によるニュース記事の投稿を許可することとしたが、これに限らない。例えば、位置情報受信部１０１が投稿端末２より送信された位置情報を受信してから所定時間内である場合には、投稿端末２より送信されたニュース記事の受信を許可することとし、所定時間を経過した場合には、投稿端末２より送信されたニュース記事の受信を許可しないこととしてもよい。
【００５５】
また、本実施形態では、ニュース現場誘導サーバ１に記事投稿許可部１０２を設けて、ニュース現場誘導サーバ１においてニュース記事の投稿を許可することとしたが、これに限らない。例えば、投稿端末２に記事投稿許可部を設け、位置情報取得部２０１により投稿端末２の位置情報が取得されることを条件にニュース記事の投稿を許可することとしてもよい。このようにすることで、ニュース記事の投稿許可の判断においてニュース現場誘導サーバ１に対する通信が不要となり、ニュース記事の投稿が許可されるまでの時間を短縮することができる。
【００５６】
記事受信部１０３は、投稿端末２より送信されたニュース記事及び投稿端末２の位置情報を受信する。そして、受信したニュース記事を投稿端末２の位置情報と関連付けて記事ＤＢ１１１に記憶する。
【００５７】
図４は、本実施形態に係るニュース記事を記憶した記事ＤＢ１１１を示す図である。記事ＤＢ１１１は、記事ＩＤ、投稿日時、アクセス数、緯度、経度、画像、記事種別、及び内容を含んで構成される。記事ＩＤは、ニュース記事を一意に特定するＩＤである。投稿日時は、ニュース記事が投稿された日時を示す。アクセス数は、ユーザが記事にアクセスした回数であり、ユーザがニュース記事に対応した地図にアクセスすると更新される。緯度及び経度は、ニュース記事に関連付けられた位置情報であり、投稿端末２より送信された位置情報に含まれる緯度・経度情報が記憶されている。画像は、投稿端末２の記事送信部２０４によりニュース記事に画像が添付されている場合に、投稿端末２より送信された画像が記憶されている。記事種別は、登録時に予め登録されている種別からの選択又は直接入力により入力が可能であり、ニュース記事の種別を判断するために用いられる。内容は、ニュース記事の内容が記憶されている。
【００５８】
図３に戻り、送信記事決定部１０４は、位置情報受信部１０１が閲覧端末３より送信された位置情報を受信すると、受信した位置情報に応じた地域のニュース記事を記事ＤＢ１１１より抽出し、閲覧端末３に送信するニュース記事として決定する。また、抽出したニュース記事の位置情報が閲覧端末３の位置情報から所定の範囲内である場合には、当該ニュース記事に対してユーザが地図にアクセスするためのリンクを付加する。リンクには、ニュース記事の位置情報が含まれる。
【００５９】
記事送信部１０５は、送信記事決定部１０４により閲覧端末３に送信することが決定されたニュース記事を閲覧端末３に送信する。
【００６０】
地図要求受付部１０６は、閲覧端末３より地図の要求信号を受信すると、閲覧端末３の位置情報と、地図ＤＢ１１２に格納された地図と、リンクに含まれるニュース記事の位置情報と、に基づいて地図を作成するとともに、記事ＤＢ１１１に記憶されているニュース記事に対してアクセス数の更新を行う。具体的には、地図ＤＢ１１２に格納されている地図より閲覧端末３の位置情報に応じた地図を抽出する。そして、抽出した地図において、ニュース記事の位置情報に応じた地点にマーカーを付加する。さらに、抽出した地図上の範囲において投稿されている他のニュース記事の位置情報に応じた地点に対してもマーカーを付加する。複数のマーカーが付加された場合には、ニュース記事のアクセス回数に応じてマーカーの大きさ、色を変えることとしてもよい。これにより、例えば、アクセス数が高いニュース記事、すなわち、それぞれのニュースにおいて、他ユーザの関心が相対的に高いニュース記事が発生した現場にユーザを誘導させることができる。また、記事ＤＢ１１１に記憶されているニュース記事のうち、リンクに含まれるニュース記事の位置情報に対応したニュース記事に対してアクセス数の更新を行う。これにより、ニュース記事に対して地図を要求してニュース記事が投稿された位置、すなわち、ニュース現場の位置を確認したユーザの数を測定できる。
【００６１】
なお、本実施形態では、ニュース記事のアクセス回数に応じてマーカーの大きさ、色を変えることとしたが、これに限らない。例えば、ニュース記事の発生から経過した時間に応じて、ニュース記事の位置情報に応じた地点に付加するマーカーの大きさ及び色を変化させることとしてもよい。すなわち、新しいニュース記事に対しては、他のニュース記事に対して目立つように、マーカーの大きさ及び色を目立つものとしてもよい。これにより、地図上において、新しいニュース記事が目立つように表示されるので、新しいニュース記事に対してユーザに関心を持たせて、当該ニュース記事が発生した現場にユーザを誘導させることができる。
【００６２】
地図送信部１０７は、地図要求受付部１０６により作成された地図を閲覧端末３に送信する。
【００６３】
図５は、本実施形態に係るニュース記事をユーザが投稿するときの処理の流れを示すフローチャートである。
【００６４】
ステップＳ１１０では、制御部２０は、ユーザによるニュース記事投稿要求の受け付けを行う。
【００６５】
ステップＳ１２０では、制御部２０は、ステップＳ１１０によりニュース記事投稿要求が受け付けられると、ＧＰＳ衛星を利用して投稿端末２の位置情報を取得する。
【００６６】
ステップＳ１３０では、制御部２０は、ステップＳ１２０により取得した投稿端末２の位置情報をニュース現場誘導サーバ１に送信する。
【００６７】
ステップＳ１４０では、制御部１０は、ステップＳ１３０により送信された位置情報を受信する。
【００６８】
ステップＳ１５０では、制御部１０は、ステップＳ１４０により位置情報を受信したことに応じてニュース記事の許可信号を投稿端末２に対して送信する。
【００６９】
ステップＳ１６０では、制御部２０は、ステップＳ１５０により送信されたニュース記事の許可信号を受信することで、ユーザからのニュース記事の投稿を受け付ける。
【００７０】
ステップＳ１７０では、制御部２０は、ステップＳ１６０によりニュース記事の投稿が受け付られると、ニュース現場誘導サーバ１に対してニュース記事を送信する。
【００７１】
ステップＳ１８０では、制御部１０は、ステップＳ１７０により送信されたニュース記事を受信する。
【００７２】
ステップＳ１９０では、制御部１０は、ステップＳ１８０により受信したニュース記事を記事ＤＢ１１１に記憶する。
【００７３】
図６は、本実施形態に係るニュース記事をユーザが閲覧するときの処理の流れを示すフローチャートである。
【００７４】
ステップＳ２１０では、制御部３０は、ユーザによるニュース記事閲覧要求の受け付けを行う。
【００７５】
ステップＳ２２０では、制御部３０は、ステップＳ２１０によりニュース記事閲覧要求が受け付けられると、ＧＰＳ衛星を利用して閲覧端末３の位置情報を取得する。
【００７６】
ステップＳ２３０では、制御部３０は、ステップＳ２２０により取得した閲覧端末３の位置情報をニュース現場誘導サーバ１に送信する。
【００７７】
ステップＳ２４０では、制御部１０は、ステップＳ２３０により送信された閲覧端末３の位置情報を受信する。
【００７８】
ステップＳ２５０では、制御部１０は、ステップＳ２４０で受信した位置情報に応じたニュース記事を記事ＤＢ１１１から抽出し、このニュース記事を閲覧端末３に送信するものとして決定する。また、抽出したニュース記事の位置情報、すなわちニュース現場が閲覧端末３の位置情報から所定の範囲内である場合には、当該ニュース記事に対して地図を取得するためのリンクを付与する。
【００７９】
ステップＳ２６０では、制御部１０は、ステップＳ２５０により決定された閲覧端末３に送信するニュース記事を閲覧端末３に送信する。
【００８０】
ステップＳ２７０では、制御部３０は、ステップＳ２６０により送信されたニュース記事を受信する。
【００８１】
ステップＳ２８０では、表示部３１は、ステップＳ２７０により受信したニュース記事を表示する。
【００８２】
ステップＳ２９０では、制御部３０は、ユーザがニュース記事に付与されたニュース現場の位置情報を含む地図のリンクにアクセスすることにより、ニュース現場誘導サーバ１に対して、地図の要求信号を送信する。
【００８３】
ステップＳ３００では、制御部１０は、ステップＳ２９０により送信された地図の要求信号を受信して地図取得要求を受け付ける。
【００８４】
ステップＳ３１０では、制御部１０は、ステップＳ３００により地図の要求信号を受信すると、閲覧端末３の位置情報と、地図ＤＢ１１２に格納された地図と、リンクに含まれるニュース記事の位置情報と、に基づいて地図を作成する。
【００８５】
ステップＳ３２０では、制御部１０は、ステップＳ３１０により作成された地図を閲覧端末３に送信する。
【００８６】
ステップＳ３３０では、制御部３０は、ステップＳ３２０により送信された地図を受信する。
【００８７】
ステップＳ３４０では、表示部３１は、ステップＳ３３０により受信した地図を表示する。
【００８８】
［ニュース記事投稿の表示例］
図７は、本実施形態に係る投稿端末２におけるニュース記事投稿の表示例を示す図である。以下に、表示例におけるニュース記事の投稿の流れを説明する。ここでは、投稿端末２においてユーザが図４に示す記事ＤＢ１１１に記事ＩＤ「ＢＢＢ」の記事を投稿することとして説明する。
【００８９】
投稿端末２においてユーザが記事投稿の要求を行うと、投稿端末２は位置情報取得部２０１により投稿端末２の位置情報を取得してニュース現場誘導サーバ１に送信する。そして、記事投稿許可部１０２により記事投稿が許可されると、記事投稿受付部２０３によりニュース記事の投稿を受け付ける。
【００９０】
図７には、記事種別入力欄２１１、内容入力欄２１２、画像選択ボタン２１３、画像ファイル名表示欄２１４、画像２１５、記事投稿ボタン２１６、及び投稿キャンセルボタン２１７が示されている。投稿端末２のユーザは、記事種別入力欄２１１において、記事種別の選択又は直接入力を行う。そして、内容入力欄２１２に、ニュース記事の内容を入力する。表示例では、ユーザが選挙の街頭演説の内容を入力していることが確認できる。
【００９１】
また、投稿端末２のユーザは、必要に応じて画像を投稿する。具体的には、画像選択ボタン２１３を押下することにより投稿する画像の選択を行う。画像が選択されると、画像２１５のように選択した画像が表示される。表示例では、ユーザが選挙の街頭演説の画像を選択していることが確認できる。そして、入力が完了してから記事投稿ボタン２１６を押下することで記事を投稿することができる。このように、記事を投稿することで、ニュース現場誘導サーバ１に対してニュース記事を送信して、当該ニュース記事を記憶させることができる。また、投稿キャンセルボタン２１７を押下することによりニュース記事の投稿をキャンセルすることもできる。
【００９２】
［ニュース記事閲覧の表示例］
図８から図１０は、本実施形態に係る閲覧端末３におけるニュース記事閲覧の表示例を示す図である。以下に、表示例におけるニュース記事の閲覧の流れを説明する。
【００９３】
閲覧端末３においてユーザがニュース記事閲覧の要求を行うと、閲覧端末３は位置情報取得部３０１により閲覧端末３の位置情報を取得してニュース現場誘導サーバ１に送信する。ニュース現場誘導サーバ１は、位置情報受信部１０１により閲覧端末３の位置情報を受信すると、送信記事決定部１０４により、閲覧端末３の位置情報に応じたニュース記事を抽出する。そして、抽出したニュース記事の位置情報が閲覧端末３の位置情報から所定の範囲内である場合には、当該ニュース記事に対して地図を取得するためのリンクを付与する。そして、記事送信部１０５により、抽出した記事を送信する。
【００９４】
図８は、本実施例に係る閲覧端末３の表示部３１にニュース記事が表示されたときの表示例を示す図である。
【００９５】
図８には、閲覧端末３の位置情報に応じたニュース記事として、ニュース記事３１０１、３１０２、３１０３、３１０４、及び３１０５が表示されていることが確認できる。そして、それぞれの記事にアクセスすることで、ニュース記事の詳細を確認することができる。また、ニュース記事の投稿の際に画像が添付された記事については、写真が添付されていることを示すボタンが表示されている。ここでは、ニュース記事３１０１及び３１０２に対して、カメラ画像３１０１ｂ及び３１０２ｂが表示されていることが確認できる。すなわち、ニュース記事３１０１及び３１０２については、ニュース記事の詳細を確認するときに、画像が表示される。
【００９６】
さらに、ニュース記事３１０１、３１０２、及び３１０５は、ニュース記事の位置情報が閲覧端末３の位置情報から所定の範囲内であるニュース記事と判断され、当該ニュース記事に対して地図を取得するためのリンクであるリンクボタン３１０１ａ、３１０２ａ、及び３１０５ａが表示されていることが確認できる。このように、リンクが付与されたニュース記事に付加されたリンクにアクセスすることで、ユーザをニュース記事の投稿された位置、すなわち、ニュースの発生現場に誘導するための地図が表示される。
【００９７】
図９は、本実施形態に係る閲覧端末３の表示部３１に地図が表示されたときの表示例を示す図である。
【００９８】
図９には、地図３１１と、ニュース記事３１２１、３１２２、及び３１２３と、が表示されている。そして、地図３１１には、閲覧端末３の現在位置３１１０と、ニュース記事が投稿された位置であるマーカー３１１１ａ、３１１２ａ、及び３１１３ａが表示されている。そして、それぞれのマーカーがどのニュース記事に対応するかを示すものであるマーカー３１１１ｂ、３１１２ｂ、及び３１１３ｂが表示されている。これにより、どのニュース記事がどの場所で投稿されたか、すなわち、ニュースの発生現場を確認できるので、ユーザをニュース現場に誘導させることができる。
【００９９】
図１０は、本実施形態に係る閲覧端末３の表示部３１に地図が表示されたときの別の表示例を示す図である。
【０１００】
図１０には、図９と同様に、地図３１１と、ニュース記事３１２１、３１２２、及び３１２３と、が表示されている。そして、地図３１１には、閲覧端末３の現在位置３１１０と、ニュース記事の投稿された位置であるマーカー３１１１ａ、３１１２ａ、及び３１１３ａと、矢印３１１３が表示されている。さらに、それぞれのマーカーがどのニュース記事に対応するかを示すものであるマーカー３１１１ｃ、３１１２ｃ、及び３１１３ｃが表示されている。
【０１０１】
ここでは、マーカー３１１１ｃ、３１１２ｃ、及び３１１３ｃは、ニュース記事のアクセス数により、それぞれのマーカーの色及び大きさが異なる。ここでは、アクセス数が高いニュース記事３１２１がこの記事よりアクセス数が低いニュース記事３１２２及び３１２３に比べて目立つように、ニュース記事３１２１に対応するマーカー３１１１ｃの色及び大きさを目立つものにする。これにより、どのニュース記事が他ユーザにとって関心が高い記事であるのかを確認でき、そのニュースの発生現場に対する位置情報が表示されるので、ユーザを他ユーザの関心が高いニュース現場に誘導させることができる。また、矢印３１１３は、閲覧端末３の現在位置３１１０に対する他ユーザの関心が一番高いニュースの現場の位置の方向を示している。これにより、ユーザは、他ユーザの関心が一番高いニュースが、閲覧端末３の現在位置、すなわち、現在のユーザの位置からどの方向で発生しているのか確認できる。
【０１０２】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【０１０３】
【図１】本実施形態に係るニュース現場誘導サーバ１と関連要素との全体構成を示す図である。
【図２】本実施形態に係るニュース現場誘導サーバ１のハードウェア構成を示す図である。
【図３】本実施形態に係るニュース現場誘導サーバ１、投稿端末２、閲覧端末３の機能構成を示す図である。
【図４】本実施形態に係るニュース記事を記憶した記事ＤＢ１１１を示す図である。
【図５】本実施形態に係るニュース記事をユーザが投稿するときの処理の流れを示すフローチャートである。
【図６】本実施形態に係るニュース記事をユーザが閲覧するときの処理の流れを示すフローチャートである。
【図７】本実施形態に係る投稿端末２におけるニュース記事投稿の表示例を示す図である。
【図８】本実施例に係る閲覧端末３の表示部３１にニュース記事が表示されたときの表示例を示す図である。
【図９】本実施形態に係る閲覧端末３の表示部３１に地図が表示されたときの表示例を示す図である。
【図１０】本実施形態に係る閲覧端末３の表示部３１に地図が表示されたときの表示例を示す図である。
【符号の説明】
【０１０４】
１  ニュース現場誘導サーバ
２  投稿端末
３  閲覧端末
１０  制御部
１１  記憶部
２０  制御部
２１  表示部
２２  操作部
３０  制御部
３１  表示部
３２  操作部
１０１  位置情報受信部
１０２  記事投稿許可部
１０３  記事受信部
１０４  送信記事決定部
１０５  記事送信部
１０６  地図要求受付部
１０７  地図送信部
１１１  記事ＤＢ
１１２  地図ＤＢ
２０１  位置情報取得部
２０２  位置情報送信部
２０３  記事投稿受付部
２０４  記事送信部
３０１  位置情報取得部
３０２  位置情報送信部
３０３  記事受信部
３０４  地図要求部
３０５  地図受信部
【図１】
2010102616.tif 000003
【図２】
2010102616.tif 000004
【図３】
2010102616.tif 000005
【図４】
2010102616.tif 000006
【図５】
2010102616.tif 000007
【図６】
2010102616.tif 000008
【図７】
2010102616.tif 000009
【図８】
2010102616.tif 000010
【図９】
2010102616.tif 000011
【図１０】
2010102616.tif 000012
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
ニュース現場誘導装置が、投稿者のモバイル端末から位置情報を受信することで、当該投稿者のモバイル端末の位置を特定するステップと、
前記ニュース現場誘導装置が、閲覧者のモバイル端末から位置情報を受信することで、当該閲覧者のモバイル端末の位置を特定するステップと、
前記投稿者のモバイル端末の位置が特定されると、前記ニュース現場誘導装置が、該投稿者のモバイル端末によるニュース記事の投稿を許可するステップと、
前記投稿者のモバイル端末により前記ニュース記事が前記ニュース現場誘導装置に投稿されると、前記ニュース現場誘導装置が、前記投稿者のモバイル端末の位置情報に関連付けて前記ニュース記事を前記ニュース現場誘導装置に備えられる記事記憶手段に記憶するステップと、
前記ニュース現場誘導装置が、前記記事記憶手段に記憶された前記ニュース記事を前記閲覧者のモバイル端末に送信するステップと、
前記閲覧者のモバイル端末が、送信された前記ニュース記事を受信して前記ニュース記事を表示するステップと、
前記閲覧者のモバイル端末が受信した前記ニュース記事について、前記閲覧者のモバイル端末の位置情報に応じたニュース記事が含まれている場合には、前記閲覧者のモバイル端末が、該ニュース記事が投稿された時点における前記投稿者のモバイル端末の位置を示す地図を表示するステップと、を備えた方法。
【請求項２】
前記ニュース記事を記憶するステップは、
前記投稿者のモバイル端末により前記ニュース記事が投稿されると、前記ニュース現場誘導装置が、投稿された日時に関連付けて前記ニュース記事を前記記事記憶手段に記憶する請求項１に記載の方法。
【請求項３】
前記地図を表示するステップは、
受信した前記ニュース記事について、前記閲覧者のモバイル端末の位置情報に応じたニュース記事が含まれている場合には、前記閲覧者のモバイル端末が、該ニュース記事が投稿された時点における前記投稿者のモバイル端末の位置を示し、かつ、前記投稿された日時からの経過時間に応じて態様が変化するマーカーを表示した地図を表示する請求項２に記載の方法。
【請求項４】
前記ニュース記事にユーザがアクセスした回数を記憶するステップを更に備え、
前記地図を表示するステップは、
受信した前記ニュース記事について、前記閲覧者のモバイル端末の位置情報に応じたニュース記事が含まれている場合には、前記閲覧者のモバイル端末が、該ニュース記事が投稿された時点における前記投稿者のモバイル端末の位置を示し、かつ、該ニュース記事にユーザがアクセスした回数に応じて態様が変化するマーカーを表示した地図を表示する請求項１から３のいずれかに記載の方法。
【請求項５】
前記位置情報とは、ＧＰＳ（Ｇｌｏｂａｌ  Ｐｏｓｉｔｉｏｎｉｎｇ  Ｓｙｓｔｅｍ）衛星を利用した３次元測位により取得した位置情報である請求項１から４のいずれかに記載の方法。
【請求項６】
投稿者のモバイル端末及び閲覧者のモバイル端末と通信可能に接続されるニュース現場誘導装置を含むニュース現場誘導システムであって、
前記投稿者のモバイル端末は、
該投稿者のモバイル端末の位置情報を特定する第１位置情報取得手段と、
前記ニュース記事の投稿を受け付ける記事投稿受付手段と、を備え、
前記ニュース現場誘導装置は、
前記投稿者のモバイル端末の位置情報が特定されると、該投稿者のモバイル端末による前記ニュース記事の投稿を許可する投稿許可手段と、
前記投稿者のモバイル端末により前記ニュース記事が投稿されると、前記投稿者のモバイル端末の位置情報に関連付けて前記ニュース記事を記憶する記事記憶手段と、
前記記事記憶手段に記憶された前記ニュース記事を前記閲覧者のモバイル端末に送信する記事送信手段と、を備え、
前記閲覧者のモバイル端末は、
該閲覧者のモバイル端末の位置情報を特定する第２位置情報取得手段と、
前記記事送信手段により送信された前記ニュース記事を受信する記事受信手段と、
前記記事受信手段により受信した前記ニュース記事について、特定された前記閲覧者のモバイル端末の位置情報に応じたニュース記事が含まれている場合には、該ニュース記事が投稿された時点における前記投稿者のモバイル端末の位置を示す地図を受信する地図受信手段と、
前記記事受信手段により受信されたニュース記事及び前記地図受信手段により受信された地図を表示する表示手段と、を備える
ニュース現場誘導システム。
【手続補正２】
【補正対象書類名】明細書
【補正対象項目名】全文
【補正方法】変更
【補正の内容】
【発明の詳細な説明】
【技術分野】
【０００１】
本発明は、ニュース現場誘導方法及びシステムに関する。特に、ニュース現場に対してユーザを誘導させるニュース現場誘導方法及びシステムに関する。
【背景技術】
【０００２】
従来、地域に関する情報を検索して提供する情報検索システムが知られている（例えば、特許文献１）。この情報検索システムでは、装置の位置及び装置が位置している地域に関する情報を収集するデータ収集モジュール、プロセッサ及び印刷ユニットが備えられている。そして、プロセッサがデータ収集モジュールと通信を行い、収集したデータを処理して、装置の位置している地域の地図とその地域に関する情報とからなる印刷に適した書式付きデータを生成する。そして、印刷ユニットが、この書式付きデータを印刷して地域に関する情報を提供することが示されている。
【特許文献１】特表２００５−５１８５２６号公報
【発明の開示】
【発明が解決しようとする課題】
【０００３】
しかしながら、この情報検索システムでは、地域に関する情報を印刷して地域に関する情報を提供することが示されているに過ぎず、ニュース等の情報を投稿し、投稿された情報に関心のあるユーザを、ニュースが投稿された現場に誘導させる方法及びシステムについては示されていない。したがって、この情報検索システムでは、投稿されたニュースに関心のあるユーザに対して、ニュースが投稿された実際の現場に誘導させることができない。
【０００４】
本発明は、ニュースに関心のあるユーザをニュースが投稿された現場に誘導する方法及びシステムを提供することを目的とする。
【課題を解決するための手段】
【０００５】
本発明では、以下のような解決手段を提供する。
【０００６】
（１）  ニュース現場誘導装置が、投稿者のモバイル端末から位置情報を受信することで、当該投稿者のモバイル端末の位置を特定するステップと、前記ニュース現場誘導装置が、閲覧者のモバイル端末から位置情報を受信することで、当該閲覧者のモバイル端末の位置を特定するステップと、前記投稿者のモバイル端末の位置が特定されると、前記ニュース現場誘導装置が、該投稿者のモバイル端末によるニュース記事の投稿を許可するステップと、前記投稿者のモバイル端末により前記ニュース記事が前記ニュース現場誘導装置に投稿されると、前記ニュース現場誘導装置が、前記投稿者のモバイル端末の位置情報に関連付けて前記ニュース記事を前記ニュース現場誘導装置に備えられる記事記憶手段に記憶するステップと、前記ニュース現場誘導装置が、前記記事記憶手段に記憶された前記ニュース記事を前記閲覧者のモバイル端末に送信するステップと、前記閲覧者のモバイル端末が、送信された前記ニュース記事を受信して前記ニュース記事を表示するステップと、前記閲覧者のモバイル端末が受信した前記ニュース記事について、前記閲覧者のモバイル端末の位置情報に応じたニュース記事が含まれている場合には、前記閲覧者のモバイル端末が、該ニュース記事が投稿された時点における前記投稿者のモバイル端末の位置を示す地図を表示するステップと、を備えた方法。
【０００７】
（１）記載のニュース現場誘導装置は、モバイル端末の位置が特定されると、該投稿者のモバイル端末によるニュース記事の投稿を許可し、投稿者のモバイル端末によりニュース記事が投稿されると、投稿者のモバイル端末の位置情報に関連付けてニュース記事を記憶する。そして、閲覧者のモバイル端末にニュース記事が受信され、受信されたニュース記事について、閲覧者のモバイル端末の位置情報に応じたニュース記事が含まれている場合には、ニュース現場誘導装置は、該ニュース記事が投稿された位置を示す地図を表示して閲覧者をニュース現場に誘導する。
【０００８】
（１）記載の方法によれば、閲覧者のモバイル端末の位置情報に応じたニュース記事が含まれている場合には、ニュース記事が投稿された位置を示す地図が表示されるので、閲覧者は、ニュース記事が投稿された位置、すなわち、ニュースが投稿された現場を確認することができる。このため、ニュース現場誘導装置は、ニュースに関心のある閲覧者、すなわちユーザをニュースが投稿された現場に誘導させることができる。
【０００９】
（２）  前記ニュース記事を記憶するステップは、前記投稿者のモバイル端末により前記ニュース記事が投稿されると、前記ニュース現場誘導装置が、投稿された日時に関連付けて前記ニュース記事を前記記事記憶手段に記憶する（１）に記載の方法。
【００１０】
（２）記載のニュース現場誘導装置は、投稿者のモバイル端末によりニュース記事が投稿されると、投稿された日時に関連付けてニュース記事を記憶する。このため、ユーザは、記憶されたニュース記事において、当該ニュース記事の投稿日時を確認できる。
【００１１】
（３）  前記地図を表示するステップは、受信した前記ニュース記事について、前記閲覧者のモバイル端末の位置情報に応じたニュース記事が含まれている場合には、前記閲覧者のモバイル端末が、該ニュース記事が投稿された時点における前記投稿者のモバイル端末の位置を示し、かつ、前記投稿された日時からの経過時間に応じて態様が変化するマーカーを表示した地図を表示する（２）に記載の方法。
【００１２】
（３）記載のニュース現場誘導装置は、閲覧者のモバイル端末の位置情報に応じたニュース記事が含まれている場合には、該ニュース記事が投稿された位置を示し、かつ、投稿された日時からの経過時間に応じて態様が変化するマーカーを表示した地図を表示する。このため、ニュース現場誘導装置は、地図上において、新しいニュース記事のマーカーが目立つように表示することが可能となり、新しいニュース記事に対してユーザに関心を持たせて、当該ニュース記事が発生した現場にユーザを誘導させることができる。
【００１３】
（４）  前記ニュース記事にユーザがアクセスした回数を記憶するステップを更に備え、
前記地図を表示するステップは、受信した前記ニュース記事について、前記閲覧者のモバイル端末の位置情報に応じたニュース記事が含まれている場合には、前記閲覧者のモバイル端末が、該ニュース記事が投稿された時点における前記投稿者のモバイル端末の位置を示し、かつ、該ニュース記事にユーザがアクセスした回数に応じて態様が変化するマーカーを表示した地図を表示する（１）から（３）のいずれかに記載の方法。
【００１４】
（４）記載のニュース現場誘導装置は、閲覧者のモバイル端末の位置情報に応じたニュース記事が含まれている場合には、該ニュース記事が投稿された位置を示し、かつ、ユーザが該ニュース記事にアクセスした回数に応じて態様が変化するマーカーを表示した地図を表示する。このため、ニュース現場誘導装置は、地図上において、アクセス数が高いニュース記事が目立つように表示することが可能となり、他ユーザの関心が相対的に高いニュース記事が発生した現場にユーザを誘導させることができる。
【００１５】
（５）  前記位置情報とは、ＧＰＳ（Ｇｌｏｂａｌ  Ｐｏｓｉｔｉｏｎｉｎｇ  Ｓｙｓｔｅｍ）衛星を利用した３次元測位により取得した位置情報である（１）から（４）のいずれかに記載の方法。
【００１６】
（５）記載の投稿者端末及び閲覧者端末のそれぞれは、ＧＰＳ衛星を利用した３次元測位により、投稿者端末及び閲覧者端末のそれぞれの位置情報を取得することができる。
【００１７】
（６）    投稿者のモバイル端末及び閲覧者のモバイル端末と通信可能に接続されるニュース現場誘導装置を含むニュース現場誘導システムであって、前記投稿者のモバイル端末は、該投稿者のモバイル端末の位置情報を特定する第１位置情報取得手段と、前記ニュース記事の投稿を受け付ける記事投稿受付手段と、を備え、前記ニュース現場誘導装置は、前記投稿者のモバイル端末の位置情報が特定されると、該投稿者のモバイル端末による前記ニュース記事の投稿を許可する投稿許可手段と、前記投稿者のモバイル端末により前記ニュース記事が投稿されると、前記投稿者のモバイル端末の位置情報に関連付けて前記ニュース記事を記憶する記事記憶手段と、前記記事記憶手段に記憶された前記ニュース記事を前記閲覧者のモバイル端末に送信する記事送信手段と、を備え、前記閲覧者のモバイル端末は、該閲覧者のモバイル端末の位置情報を特定する第２位置情報取得手段と、前記記事送信手段により送信された前記ニュース記事を受信する記事受信手段と、前記記事受信手段により受信した前記ニュース記事について、特定された前記閲覧者のモバイル端末の位置情報に応じたニュース記事が含まれている場合には、該ニュース記事が投稿された時点における前記投稿者のモバイル端末の位置を示す地図を受信する地図受信手段と、前記記事受信手段により受信されたニュース記事及び前記地図受信手段により受信された地図を表示する表示手段と、を備えるニュース現場誘導システム。
【００１８】
このような構成によれば、当該システムを構築することにより、（１）と同様の効果が期待できる。
【発明の効果】
【００１９】
本発明によれば、ニュースに関心のあるユーザをニュースが投稿された現場に誘導させることができる。
【発明を実施するための最良の形態】
【００２０】
以下、本発明の実施形態について図を参照しながら説明する。なお、本実施形態では、ユーザは、所定のサイトよりサービスの提供を受けることを目的として、所定のサイトに対してユーザ登録を行っているものとする。ユーザ登録を行ったユーザには、ユーザを一意に特定するためのものであるユーザＩＤが付与される。また、ユーザは、所定のサイトにログインすることによりサービスを受けることができる。本発明の実施形態では、ユーザが所定のサイトにログインしているものとする。また、所定のサイトが提供するサービスには、地域ニュース投稿サービス及び地域ニュース閲覧サービスが含まれているものとする。なお、本実施形態では、所定のサイトがサービスの提供を行うこととしたが、これに限らない。例えば、地域ニュース投稿サービス及び地域ニュース閲覧サービスを含むＡＳＰ（Ａｐｐｌｉｃａｔｉｏｎ  Ｓｅｒｖｉｃｅ  Ｐｒｏｖｉｄｅｒ）サービスでもよい。
【００２１】
［システム全体構成］
図１は、本実施形態に係るニュース現場誘導サーバ１と関連要素との全体構成を示す図である。投稿者のモバイル端末である投稿端末２と、閲覧者のモバイル端末である閲覧端末３とは、基地局４を介して通信ネットワーク５と接続される。これにより、投稿端末２及び閲覧端末３は、通信ネットワーク５によりニュース現場誘導サーバ１と通信可能となる。
【００２２】
投稿端末２でニュース記事を投稿する場合には、投稿端末２の位置情報が特定されることにより、ニュース現場誘導サーバ１は、投稿端末２によるニュース記事の投稿を許可する。そして、ニュース記事が投稿されると、ニュース記事に対して投稿端末２の位置情報が関連付けられてニュース現場誘導サーバ１に記憶される。他方、閲覧端末３でニュース記事の閲覧を行う場合には、閲覧端末３において、最初に閲覧端末３の位置情報に応じた地域のニュース記事の一覧が表示される。そして、表示されるニュース記事のうち、閲覧端末３の位置から所定の範囲内で投稿されたニュース記事については、ニュースが投稿された位置に関する位置情報が抽出されて、この位置情報を含んだ地図が閲覧端末３から閲覧可能となる。そうすることにより、閲覧端末３のユーザは、ニュース記事が投稿された位置、すなわち、ニュースの現場に向かうことができる。
【００２３】
［ハードウェア構成］
図２は、本実施形態に係るニュース現場誘導サーバ１のハードウェア構成を示す図である。本実施形態におけるニュース現場誘導サーバ１は標準的なものでよく、以下に構成の一例を示す。
【００２４】
ニュース現場誘導サーバ１は、制御部１０を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２等複数のＣＰＵが追加されてもよい）、バスライン１００５、通信Ｉ／Ｆ（Ｉ／Ｆ：インターフェイス）１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、表示装置１０２２、Ｉ／Ｏコントローラ１０７０、キーボード及びマウス等の入力装置１１００、ハードディスク１０７４、光ディスクドライブ１０７６並びに半導体メモリ１０７８を備える。なお、ハードディスク１０７４、光ディスクドライブ１０７６及び半導体メモリ１０７８はまとめて記憶部１１と呼ぶ。
【００２５】
制御部１０は、ニュース現場誘導サーバ１を統括的に制御する部分であり、ハードディスク１０７４に記憶された各種プログラムを適宜読み出して実行することにより、上述したハードウェアと協働し、本実施形態に係る各種機能を実現している。
【００２６】
通信Ｉ／Ｆ１０４０は、ニュース現場誘導サーバ１が、通信ネットワーク５を介して端末等と情報を送受信する場合のネットワーク・アダプタである。通信Ｉ／Ｆ１０４０は、モデム、ケーブル・モデム及びイーサネット（登録商標）・アダプタを含んでよい。
【００２７】
ＢＩＯＳ１０６０は、ニュース現場誘導サーバ１の起動時にＣＰＵ１０１０が実行するブートプログラムや、ニュース現場誘導サーバ１のハードウェアに依存するプログラム等を記録する。
【００２８】
表示装置１０２２は、ブラウン管表示装置（ＣＲＴ）、液晶表示装置（ＬＣＤ）等のディスプレイ装置を含む。
【００２９】
Ｉ／Ｏコントローラ１０７０には、ハードディスク１０７４、光ディスクドライブ１０７６及び半導体メモリ１０７８等の記憶装置である記憶部１１を接続することができる。
【００３０】
入力装置１１００は、ニュース現場誘導サーバ１の管理者による入力の受け付けを行うものである。
【００３１】
ハードディスク１０７４は、本ハードウェアをニュース現場誘導サーバ１として機能させるための各種プログラム、本実施形態における各種機能を実行するプログラム並びにＤＢのテーブル及びレコードを記憶する。なお、ニュース現場誘導サーバ１は、外部に別途設けたハードディスク（図示せず）を外部記憶装置として利用することもできる。
【００３２】
光ディスクドライブ１０７６としては、例えば、ＤＶＤ−ＲＯＭドライブ、ＣＤ−ＲＯＭドライブ、ＤＶＤ−ＲＡＭドライブ及びＣＤ−ＲＡＭドライブを使用することができる。光ディスクドライブ１０７６を使用する場合は、各ドライブに対応した光ディスク１０７７を使用する。光ディスク１０７７から光ディスクドライブ１０７６によりプログラム又はデータを読み取り、Ｉ／Ｏコントローラ１０７０を介してメインメモリ１０５０又はハードディスク１０７４に提供することもできる。
【００３３】
なお、本実施形態でいうコンピュータとは、制御装置、記憶装置等を備えた情報処理装置をいい、ニュース現場誘導サーバ１は、上述のように、制御部１０、記憶部１１等を備えた情報処理装置により構成され、この情報処理装置は、本実施形態のコンピュータの概念に含まれる。
【００３４】
また、本実施形態に係る投稿端末２及び閲覧端末３のハードウェア構成は、図示は省略するが、いわゆるＧＰＳ受信機能を備え、無線通信部、音声処理部、マイク、スピーカ及び電源部といった携帯端末が備えている一般的な構成を有しているものとする。
【００３５】
［機能構成］
図３は、本実施形態に係るニュース現場誘導サーバ１、投稿端末２及び閲覧端末３の機能構成を示す図である。
【００３６】
ニュース現場誘導サーバ１の制御部１０は、位置情報受信部１０１と、記事投稿許可部１０２と、記事受信部１０３と、送信記事決定部１０４と、記事送信部１０５と、地図要求受付部１０６と、地図送信部１０７と、を備える。また、ニュース現場誘導サーバ１の記憶部１１は、記事ＤＢ１１１と、地図ＤＢ１１２と、を備える。
【００３７】
投稿端末２は、制御部２０と、表示部２１と、操作部２２と、を備える。また、投稿端末２の制御部２０は、位置情報取得部２０１と、位置情報送信部２０２と、記事投稿受付部２０３と、記事送信部２０４と、を備える。
【００３８】
閲覧端末３は、制御部３０と、表示部３１と、操作部３２と、を備える。また、閲覧端末３の制御部３０は、位置情報取得部３０１と、位置情報送信部３０２と、記事受信部３０３と、地図要求部３０４と、地図受信部３０５と、を備える。
【００３９】
なお、本実施形態では、投稿端末２及び閲覧端末３は、それぞれニュース記事投稿用の機能及びニュース記事閲覧用の機能のみ備えることとしているが、これに限らない。例えば、投稿端末２は、閲覧端末３に備えられたニュース記事閲覧用の機能である記事受信部３０３と、地図要求部３０４と、地図受信部３０５と、を有してもよい。また、閲覧端末３は、投稿端末２に備えられたニュース記事投稿用の機能である記事投稿受付部２０３及び記事送信部２０４を有してもよい。
【００４０】
位置情報取得部２０１は、ユーザよりニュース記事の投稿要求が受け付けられると、ＧＰＳ（Ｇｌｏｂａｌ  Ｐｏｓｉｔｉｏｎｉｎｇ  Ｓｙｓｔｅｍ）衛星を利用した３次元測位を利用して投稿端末２の位置情報を取得する。具体的には、位置情報取得部２０１は、複数のＧＰＳ衛星から時刻情報及びそれぞれの衛星の位置情報を受信して、それぞれの衛星と、投稿端末２との距離を算出する。そして、位置情報取得部２０１は、それぞれのＧＰＳ衛星との距離を満たす地点、すなわち、投稿端末２の位置を算出することにより、投稿端末２が位置する緯度・経度、すなわち、位置情報を取得する。
【００４１】
位置情報送信部２０２は、位置情報取得部２０１により取得した投稿端末２の位置情報をニュース現場誘導サーバ１に送信する。
【００４２】
記事投稿受付部２０３は、ニュース現場誘導サーバ１の記事投稿許可部１０２より記事投稿の許可信号を受信すると、投稿端末２におけるニュース記事の入力を受け付ける。ニュース記事には、記事の内容の他、記事種別、画像といった記事に関連する情報も含まれる（後述の図７参照）。
【００４３】
記事送信部２０４は、投稿端末２において入力されたニュース記事の内容をニュース現場誘導サーバ１に送信するとともに、位置情報取得部２０１により取得した位置情報も併せて送信する。
【００４４】
表示部２１は、投稿端末２の機能に関する表示を行う他に、通信ネットワーク５により通信可能となる各種サーバから提供されたコンテンツ情報を表示する。例えば、表示部２１には、ニュース現場誘導サーバ１に投稿するためのニュース記事入力受付画面等が表示される。
【００４５】
操作部２２は、ユーザが投稿端末２の操作を行うために設けられ、例えば、ボタン等を指す。
【００４６】
位置情報取得部３０１は、投稿端末２の位置情報取得部２０１と同等の機能を有するものであり、ユーザよりニュース記事の閲覧要求が受け付けられると、ＧＰＳ衛星を利用した３次元測位を利用して閲覧端末３の位置情報を取得する。
【００４７】
位置情報送信部３０２は、投稿端末２の位置情報送信部２０２と同等の機能を有するものであり、位置情報取得部３０１により取得した閲覧端末３の位置情報をニュース現場誘導サーバ１に送信する。
【００４８】
記事受信部３０３は、ニュース現場誘導サーバ１より、閲覧端末３の位置情報に応じたニュース記事を含んだニュース記事を受信する。そして、受信したニュース記事は表示部３１に表示される。また、閲覧端末３の位置から所定の範囲内で投稿されたニュース記事は、当該ニュース記事に対してニュースが投稿された位置、すなわち、ニュース記事の位置情報を含む地図へのリンクが設けられている。これにより、ニュース現場誘導サーバ１は、ユーザがニュース記事の位置情報を含む地図にアクセスしてニュース記事の投稿された位置、すなわち、ニュースが発生した現場を確認することで、ユーザをニュースが発生した現場に誘導させることができる。
【００４９】
地図要求部３０４は、ユーザが操作部３２を介して記事受信部３０３により受信したニュース記事に付加された地図のリンクにアクセスすると、ニュース現場誘導サーバ１に対して、地図の要求信号を送信する。
【００５０】
地図受信部３０５は、ニュース現場誘導サーバ１より、ニュース記事が投稿された位置を示した地図を受信する。
【００５１】
表示部３１は、閲覧端末３の機能に関する表示を行う他に、通信ネットワーク５により通信可能となる各種サーバから提供されたコンテンツ情報を表示する。例えば、表示部３１には、ニュース現場誘導サーバ１より受信したニュース記事や、ニュース記事が投稿された位置を示した地図が表示される。
【００５２】
操作部３２は、ユーザが閲覧端末３の操作を行うために設けられ、例えば、ボタン等を指す。
【００５３】
位置情報受信部１０１は、投稿端末２及び閲覧端末３より送信されたそれぞれの端末の位置情報を受信する。
【００５４】
記事投稿許可部１０２は、位置情報受信部１０１が投稿端末２より送信された位置情報を受信することで、投稿端末２によるニュース記事の投稿を許可するために記事投稿の許可信号を投稿端末２に送信する。なお、本実施形態において、投稿端末２より送信された位置情報を受信することで投稿端末２によるニュース記事の投稿を許可することとしたが、これに限らない。例えば、記事投稿許可部１０２は、位置情報受信部１０１が投稿端末２より送信された位置情報を受信してから所定時間内である場合には、投稿端末２より送信されたニュース記事の受信を許可することとし、所定時間を経過した場合には、投稿端末２より送信されたニュース記事の受信を許可しないこととしてもよい。
【００５５】
また、本実施形態では、ニュース現場誘導サーバ１に記事投稿許可部１０２を設けて、ニュース現場誘導サーバ１においてニュース記事の投稿を許可することとしたが、これに限らない。例えば、投稿端末２に記事投稿許可部を設け、記事投稿許可部１０２が位置情報取得部２０１により投稿端末２の位置情報が取得されることを条件にニュース記事の投稿を許可することとしてもよい。このようにすることで、ニュース記事の投稿許可の判断においてニュース現場誘導サーバ１に対する通信が不要となり、ニュース記事の投稿が許可されるまでの時間が短縮される。
【００５６】
記事受信部１０３は、投稿端末２より送信されたニュース記事及び投稿端末２の位置情報を受信する。そして、記事受信部１０３は、受信したニュース記事を投稿端末２の位置情報と関連付けて記事ＤＢ１１１に記憶する。
【００５７】
図４は、本実施形態に係るニュース記事を記憶した記事ＤＢ１１１を示す図である。記事ＤＢ１１１は、記事ＩＤ、投稿日時、アクセス数、緯度、経度、画像、記事種別及び内容を含んで構成される。記事ＩＤは、ニュース記事を一意に特定するＩＤである。投稿日時は、ニュース記事が投稿された日時を示す。アクセス数は、ユーザが記事にアクセスした回数である。このアクセス数は、ユーザがニュース記事に対応した地図にアクセスすると更新される。緯度及び経度は、ニュース記事に関連付けられた位置情報であり、投稿端末２より送信された位置情報に含まれる緯度・経度情報である。画像は、投稿端末２の記事送信部２０４によりニュース記事に画像が添付されている場合に、投稿端末２より送信された画像である。記事種別は、登録時に予め登録されている種別からの選択又は直接入力により入力が可能であり、ニュース記事の種別を判断するために用いられる情報である。内容は、ニュース記事の内容である。
【００５８】
図３に戻り、送信記事決定部１０４は、位置情報受信部１０１が閲覧端末３より送信された位置情報を受信すると、受信した位置情報に応じた地域のニュース記事を記事ＤＢ１１１より抽出し、閲覧端末３に送信するニュース記事として決定する。また、送信記事決定部１０４は、抽出したニュース記事の位置情報が閲覧端末３の位置情報から所定の範囲内である場合には、送信記事決定部１０４は、当該ニュース記事に対してユーザが地図にアクセスするためのリンクを付加する。リンクには、ニュース記事の位置情報が含まれる。
【００５９】
記事送信部１０５は、送信記事決定部１０４により閲覧端末３に送信することが決定されたニュース記事を閲覧端末３に送信する。
【００６０】
地図要求受付部１０６は、閲覧端末３より地図の要求信号を受信すると、閲覧端末３の位置情報と、地図ＤＢ１１２に格納された地図と、リンクに含まれるニュース記事の位置情報と、に基づいて地図を作成するとともに、記事ＤＢ１１１に記憶されているニュース記事に対してアクセス数の更新を行う。具体的には、地図要求受付部１０６は、地図ＤＢ１１２に格納されている地図より閲覧端末３の位置情報に応じた地図を抽出する。そして、地図要求受付部１０６は、抽出した地図において、ニュース記事の位置情報に応じた地点にマーカーを付加する。さらに、地図要求受付部１０６は、抽出した地図上の範囲において投稿されている他のニュース記事の位置情報に応じた地点に対してもマーカーを付加する。複数のマーカーが付加された場合には、地図要求受付部１０６は、ニュース記事のアクセス回数に応じてマーカーの大きさ、色を変えることとしてもよい。これにより、ニュース現場誘導サーバ１は、例えば、アクセス数が高いニュース記事、すなわち、それぞれのニュースにおいて、他ユーザの関心が相対的に高いニュース記事が発生した現場にユーザを誘導させることができる。また、地図要求受付部１０６は、記事ＤＢ１１１に記憶されているニュース記事のうち、リンクに含まれるニュース記事の位置情報に対応したニュース記事に対してアクセス数の更新を行う。これにより、ニュース現場誘導サーバ１は、ニュース記事に対して地図を要求してニュース記事が投稿された位置、すなわち、ニュース現場の位置を確認したユーザの数を測定できる。
【００６１】
なお、本実施形態では、ニュース現場誘導サーバ１は、ニュース記事のアクセス回数に応じてマーカーの大きさ及び色を変えることとしたが、これに限らない。例えば、ニュース現場誘導サーバ１は、ニュース記事の発生から経過した時間に応じて、ニュース記事の位置情報に応じた地点に付加するマーカーの大きさ及び色を変化させることとしてもよい。すなわち、ニュース現場誘導サーバ１は、新しいニュース記事に対しては、他のニュース記事に対して目立つように、マーカーの大きさ及び色を目立つものとしてもよい。これにより、地図上において、新しいニュース記事が目立つように表示されるので、ニュース現場誘導サーバ１は、新しいニュース記事に対してユーザに関心を持たせて、当該ニュース記事が発生した現場にユーザを誘導させることができる。
【００６２】
地図送信部１０７は、地図要求受付部１０６により作成された地図を閲覧端末３に送信する。
【００６３】
図５は、本実施形態に係るニュース記事をユーザが投稿するときの処理の流れを示すフローチャートである。
【００６４】
ステップＳ１１０では、制御部２０は、ユーザによるニュース記事投稿要求の受け付けを行う。
【００６５】
ステップＳ１２０では、制御部２０は、ステップＳ１１０によりニュース記事投稿要求が受け付けられると、ＧＰＳ衛星を利用して投稿端末２の位置情報を取得する。
【００６６】
ステップＳ１３０では、制御部２０は、ステップＳ１２０により取得した投稿端末２の位置情報をニュース現場誘導サーバ１に送信する。
【００６７】
ステップＳ１４０では、制御部１０は、ステップＳ１３０により送信された位置情報を受信する。
【００６８】
ステップＳ１５０では、制御部１０は、ステップＳ１４０により位置情報を受信したことに応じてニュース記事の許可信号を投稿端末２に対して送信する。
【００６９】
ステップＳ１６０では、制御部２０は、ステップＳ１５０により送信されたニュース記事の許可信号を受信することで、ユーザからのニュース記事の投稿を受け付ける。
【００７０】
ステップＳ１７０では、制御部２０は、ステップＳ１６０によりニュース記事の投稿が受け付られると、ニュース現場誘導サーバ１に対してニュース記事を送信する。
【００７１】
ステップＳ１８０では、制御部１０は、ステップＳ１７０により送信されたニュース記事を受信する。
【００７２】
ステップＳ１９０では、制御部１０は、ステップＳ１８０により受信したニュース記事を記事ＤＢ１１１に記憶する。
【００７３】
図６は、本実施形態に係るニュース記事をユーザが閲覧するときの処理の流れを示すフローチャートである。
【００７４】
ステップＳ２１０では、制御部３０は、ユーザによるニュース記事閲覧要求の受け付けを行う。
【００７５】
ステップＳ２２０では、制御部３０は、ステップＳ２１０によりニュース記事閲覧要求が受け付けられると、ＧＰＳ衛星を利用して閲覧端末３の位置情報を取得する。
【００７６】
ステップＳ２３０では、制御部３０は、ステップＳ２２０により取得した閲覧端末３の位置情報をニュース現場誘導サーバ１に送信する。
【００７７】
ステップＳ２４０では、制御部１０は、ステップＳ２３０により送信された閲覧端末３の位置情報を受信する。
【００７８】
ステップＳ２５０では、制御部１０は、ステップＳ２４０で受信した位置情報に応じたニュース記事を記事ＤＢ１１１から抽出し、このニュース記事を閲覧端末３に送信するものとして決定する。また、抽出したニュース記事の位置情報、すなわちニュース現場が閲覧端末３の位置情報から所定の範囲内である場合には、制御部１０は、当該ニュース記事に対して地図を取得するためのリンクを付与する。
【００７９】
ステップＳ２６０では、制御部１０は、ステップＳ２５０により決定された閲覧端末３に送信するニュース記事を閲覧端末３に送信する。
【００８０】
ステップＳ２７０では、制御部３０は、ステップＳ２６０により送信されたニュース記事を受信する。
【００８１】
ステップＳ２８０では、表示部３１は、ステップＳ２７０により受信したニュース記事を表示する。
【００８２】
ステップＳ２９０では、制御部３０は、ニュース記事に付与されたニュース現場の位置情報を含む地図のリンクにアクセスされることにより、ニュース現場誘導サーバ１に対して、地図の要求信号を送信する。
【００８３】
ステップＳ３００では、制御部１０は、ステップＳ２９０により送信された地図の要求信号を受信して地図取得要求を受け付ける。
【００８４】
ステップＳ３１０では、制御部１０は、ステップＳ３００により地図の要求信号を受信すると、閲覧端末３の位置情報と、地図ＤＢ１１２に格納された地図と、リンクに含まれるニュース記事の位置情報と、に基づいて地図を作成する。
【００８５】
ステップＳ３２０では、制御部１０は、ステップＳ３１０により作成された地図を閲覧端末３に送信する。
【００８６】
ステップＳ３３０では、制御部３０は、ステップＳ３２０により送信された地図を受信する。
【００８７】
ステップＳ３４０では、表示部３１は、ステップＳ３３０により受信した地図を表示する。
【００８８】
［ニュース記事投稿の表示例］
図７は、本実施形態に係る投稿端末２におけるニュース記事投稿の表示例を示す図である。以下に、表示例におけるニュース記事の投稿の流れを説明する。ここでは、投稿端末２においてユーザが図４に示す記事ＤＢ１１１に記事ＩＤ「ＢＢＢ」の記事を投稿することとして説明する。
【００８９】
投稿端末２においてユーザが記事投稿の要求を行うと、投稿端末２は位置情報取得部２０１により投稿端末２の位置情報を取得してニュース現場誘導サーバ１に送信する。そして、記事投稿許可部１０２により記事投稿が許可されると、記事投稿受付部２０３は、ニュース記事の投稿を受け付ける。
【００９０】
図７には、記事種別入力欄２１１、内容入力欄２１２、画像選択ボタン２１３、画像ファイル名表示欄２１４、画像２１５、記事投稿ボタン２１６及び投稿キャンセルボタン２１７が示されている。投稿端末２のユーザは、記事種別入力欄２１１において、記事種別の選択又は直接入力を行う。そして、内容入力欄２１２に、ニュース記事が内容を入力される。表示例では、ユーザが選挙の街頭演説の内容を入力していることが確認できる。
【００９１】
また、投稿端末２のユーザは、必要に応じて画像を投稿する。具体的には、画像選択ボタン２１３を押下することにより投稿する画像の選択を行う。画像が選択されると、画像２１５のように選択した画像が表示される。表示例では、ユーザが選挙の街頭演説の画像を選択していることが確認できる。そして、入力が完了してから記事投稿ボタン２１６を押下することで投稿端末２のユーザは、記事を投稿することができる。このように、記事を投稿することで、投稿端末２のユーザは、ニュース現場誘導サーバ１に対してニュース記事を送信して、当該ニュース記事を記憶させることができる。また、投稿端末２のユーザは、投稿キャンセルボタン２１７を押下することによりニュース記事の投稿をキャンセルすることもできる。
【００９２】
［ニュース記事閲覧の表示例］
図８から図１０は、本実施形態に係る閲覧端末３におけるニュース記事閲覧の表示例を示す図である。以下に、表示例におけるニュース記事の閲覧の流れを説明する。
【００９３】
閲覧端末３においてユーザがニュース記事閲覧の要求を行うと、閲覧端末３は位置情報取得部３０１により閲覧端末３の位置情報を取得してニュース現場誘導サーバ１に送信する。ニュース現場誘導サーバ１は、位置情報受信部１０１により閲覧端末３の位置情報を受信すると、送信記事決定部１０４により、閲覧端末３の位置情報に応じたニュース記事を抽出する。そして、閲覧端末３は、抽出したニュース記事の位置情報が閲覧端末３の位置情報から所定の範囲内である場合には、当該ニュース記事に対して地図を取得するためのリンクを付与する。そして、閲覧端末３は、記事送信部１０５により、抽出した記事を送信する。
【００９４】
図８は、本実施例に係る閲覧端末３の表示部３１にニュース記事が表示されたときの表示例を示す図である。
【００９５】
図８には、閲覧端末３の位置情報に応じたニュース記事として、ニュース記事３１０１、３１０２、３１０３、３１０４及び３１０５が表示されていることが確認できる。そして、それぞれの記事にアクセスすることで、閲覧端末３のユーザは、ニュース記事の詳細を確認することができる。また、ニュース記事の投稿の際に画像が添付された記事については、写真が添付されていることを示すボタンが表示されている。ここでは、ニュース記事３１０１及び３１０２に対して、カメラ画像３１０１ｂ及び３１０２ｂが表示されていることが確認できる。すなわち、ニュース記事３１０１及び３１０２については、ニュース記事の詳細を確認するときに、画像が表示される。
【００９６】
さらに、ニュース記事３１０１、３１０２及び３１０５は、ニュース記事の位置情報が閲覧端末３の位置情報から所定の範囲内であるニュース記事と判断され、当該ニュース記事に対して地図を取得するためのリンクであるリンクボタン３１０１ａ、３１０２ａ及び３１０５ａが表示されていることが確認できる。このように、リンクが付与されたニュース記事に付加されたリンクにアクセスすることで、ユーザをニュース記事の投稿された位置、すなわち、ニュースの発生現場に誘導するための地図が表示される。
【００９７】
図９は、本実施形態に係る閲覧端末３の表示部３１に地図が表示されたときの表示例を示す図である。
【００９８】
図９には、地図３１１と、ニュース記事３１２１、３１２２及び３１２３と、が表示されている。そして、地図３１１には、閲覧端末３の現在位置３１１０と、ニュース記事が投稿された位置であるマーカー３１１１ａ、３１１２ａ及び３１１３ａが表示されている。そして、それぞれのマーカーがどのニュース記事に対応するかを示すものであるマーカー３１１１ｂ、３１１２ｂ及び３１１３ｂが表示されている。これにより、どのニュース記事がどの場所で投稿されたか、すなわち、ニュースの発生現場を確認できるので、ユーザをニュース現場に誘導させることができる。
【００９９】
図１０は、本実施形態に係る閲覧端末３の表示部３１に地図が表示されたときの別の表示例を示す図である。
【０１００】
図１０には、図９と同様に、地図３１１と、ニュース記事３１２１、３１２２及び３１２３と、が表示されている。そして、地図３１１には、閲覧端末３の現在位置３１１０と、ニュース記事の投稿された位置であるマーカー３１１１ａ、３１１２ａ及び３１１３ａと、矢印３１１３が表示されている。さらに、それぞれのマーカーがどのニュース記事に対応するかを示すものであるマーカー３１１１ｃ、３１１２ｃ及び３１１３ｃが表示されている。
【０１０１】
ここでは、マーカー３１１１ｃ、３１１２ｃ及び３１１３ｃは、ニュース記事のアクセス数により、それぞれのマーカーの色及び大きさが異なる。ここでは、アクセス数が高いニュース記事３１２１がこの記事よりアクセス数が低いニュース記事３１２２及び３１２３に比べて目立つように、ニュース記事３１２１に対応するマーカー３１１１ｃの色及び大きさを目立つものにする。これにより、どのニュース記事が他ユーザにとって関心が高い記事であるのかを確認でき、そのニュースの発生現場に対する位置情報が表示されるので、ニュース現場誘導サーバ１は、ユーザを他ユーザの関心が高いニュース現場に誘導させることができる。また、矢印３１１３は、閲覧端末３の現在位置３１１０に対する他ユーザの関心が一番高いニュースの現場の位置の方向を示している。これにより、ユーザは、他ユーザの関心が一番高いニュースが、閲覧端末３の現在位置、すなわち、現在のユーザの位置からどの方向で発生しているのか確認できる。
【０１０２】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【０１０３】
【図１】本実施形態に係るニュース現場誘導サーバ１と関連要素との全体構成を示す図である。
【図２】本実施形態に係るニュース現場誘導サーバ１のハードウェア構成を示す図である。
【図３】本実施形態に係るニュース現場誘導サーバ１、投稿端末２及び閲覧端末３の機能構成を示す図である。
【図４】本実施形態に係るニュース記事を記憶した記事ＤＢ１１１を示す図である。
【図５】本実施形態に係るニュース記事をユーザが投稿するときの処理の流れを示すフローチャートである。
【図６】本実施形態に係るニュース記事をユーザが閲覧するときの処理の流れを示すフローチャートである。
【図７】本実施形態に係る投稿端末２におけるニュース記事投稿の表示例を示す図である。
【図８】本実施例に係る閲覧端末３の表示部３１にニュース記事が表示されたときの表示例を示す図である。
【図９】本実施形態に係る閲覧端末３の表示部３１に地図が表示されたときの表示例を示す図である。
【図１０】本実施形態に係る閲覧端末３の表示部３１に地図が表示されたときの表示例を示す図である。
【符号の説明】
【０１０４】
１  ニュース現場誘導サーバ
２  投稿端末
３  閲覧端末
１０  制御部
１１  記憶部
２０  制御部
２１  表示部
２２  操作部
３０  制御部
３１  表示部
３２  操作部
１０１  位置情報受信部
１０２  記事投稿許可部
１０３  記事受信部
１０４  送信記事決定部
１０５  記事送信部
１０６  地図要求受付部
１０７  地図送信部
１１１  記事ＤＢ
１１２  地図ＤＢ
２０１  位置情報取得部
２０２  位置情報送信部
２０３  記事投稿受付部
２０４  記事送信部
３０１  位置情報取得部
３０２  位置情報送信部
３０３  記事受信部
３０４  地図要求部
３０５  地図受信部